(57)【要約】【課題】  本発明は片持支持の門扉に於いて、門扉本体に発生するしなりを、施工時に微調整できる汎用的な微調整手段を提供しようとする【解決手段】  支柱１に調整枠材６を支柱と平行に並設し、この調整枠材６に門扉本体５を下端部は上下方向に回動可能に軸支し、上端部は横方向に位置調節可能に連結したことを特徴とする。  【選択図】  図４
2007197935.tif 000002
【特許請求の範囲】
【請求項１】
支柱に調整枠材を支柱と平行に並設し、この調整枠材に門扉本体を下端部は上下方向に回動可能に軸支し、上端部は横方向に位置調節可能に連結したことを特徴とする門扉。  
【請求項２】
門扉本体の上部横枠端部に対向して調整枠材の門扉本体側には上部横枠緩挿孔を形成し、門扉本体の上部横枠端部を挿通し、この上部横枠端面に定着した螺合部材に調整枠材の支柱側から挿通した調整ボルトが螺合し、螺合部材と調整ボルトとの螺合位置によって、調整枠材と門扉本体の上端部を横方向に位置調節可能としたことを特徴とする請求項1記載の門扉。
【請求項３】
調整枠材の上部横枠緩挿孔に対向する支柱側にボルト緩挿孔を形成し、このボルト緩挿孔に調節ボルトが球面座金を介して挿通していることを特徴とする請求項2記載の門扉。
【発明の詳細な説明】
【技術分野】
【０００１】
本発明は、門扉に関するものであり、詳しくは一本の支柱に支承される片持支持の門扉に関するものである。
【背景技術】
【０００２】
門扉本体を片方側のみの片持ちで支持し、中には、門扉本体を支持した支柱を回転可能な構造と成し、或いは回転可能に門扉本体を軸支して、門扉本体を回動させて開閉するようにした門扉も存在する。
そして、この片持支持の門扉に於いては、特に大型の門扉を片持支持させる場合に門扉本体にしなりが必然的に発生する問題が指摘されている。
【０００３】
当然予想され、発生するしなりを見込んで当初の設計をするのであるが、設計段階では概算に止まり、施工時に微調整する必要が出てくるのが現状であり、そのための汎用的な微調整手段が望まれているのである。
【０００４】
例えば、門扉本体を支持した支柱を回転可能な構造と成し、支柱の回転を利用して門扉本体を回動させて開閉するようにした特開平０９−７２１７６では、回転支柱と門扉本体とを連結した後、しなり調整具の上部調整部材に対する係合を調節するもので、調整具は雄ネジ部材であり、上部調整部材は対応する雌ネジ部を有しており、上部調整部材は調整孔を有しており、雄ネジ部材は調整孔を貫通して雌ネジ部に嵌合している構成としたものである。  
【特許文献１】特開平０９−７２１７６
【発明の開示】
【発明が解決しようとする課題】
【０００５】
そこで、本発明は片持支持の門扉に於いて、門扉本体に発生するしなりを、施工時に微調整できる汎用的な微調整手段を提供しようとするものである。
【課題を解決するための手段】
【０００６】
本発明の門扉は、支柱に調整枠材を支柱と平行に並設し、この調整枠材に門扉本体を下端部は上下方向に回動可能に軸支し、上端部は横方向に位置調節可能に連結したことを特徴とするものである。
【０００７】
また、門扉本体の上部横枠端部に対向して調整枠材の門扉本体側には上部横枠緩挿孔を形成し、門扉本体の上部横枠端部を挿通し、この上部横枠端面に定着した螺合部材に調整枠材の支柱側から挿通した調整ボルトが螺合し、螺合部材と調整ボルトとの螺合位置によって、調整枠材と門扉本体の上端部を横方向に位置調節可能としたことを特徴とするものである。
【０００８】
そして、調整枠材の上部横枠緩挿孔に対向する支柱側にボルト緩挿孔を形成し、このボルト緩挿孔に調節ボルトが球面座金を介して挿通しているものとしてもよい。
【発明の効果】
【０００９】
本発明は、支柱と平行に並設した調整枠材に門扉本体の下端部は上下方向に回動可能に軸支し、上端部は横方向に位置調節可能に連結したため、上端部の位置調節により門扉本体を下端部の連結部分を軸にして片持支持で生じるしなりを簡単に調節することが出来る効果を有するものである。
【００１０】
また、調整枠材に門扉本体を下端部は上下方向に回動可能に軸支し、上端部は横方向に位置調節可能に連結したものであるから、支柱に直接しなり調節のための部材が存在しないため、該部分の破壊や損傷による交換修理が容易となり、支柱の取替え等の大掛かりな補修となることを回避できる効果がある。
【００１１】
請求項２の発明においては、門扉本体の上部横枠端部に対向して調整枠材の門扉本体側には上部横枠緩挿孔を形成し、門扉本体の上部横枠端部を挿通し、この上部横枠端面に定着した螺合部材に調整枠材の支柱側から挿通した調整ボルトを螺合し、横方向に位置調節可能としたものであるから、調整ボルト一本の簡単な操作によって調節できるものとなる。
【００１２】
請求項３の発明においては、調整枠材の上部横枠緩挿孔に対向する支柱側にボルト緩挿孔を形成し、このボルト緩挿孔に調節ボルトが球面座金を介して挿通したため、しなり調節に調節ボルトの軸が傾斜してもボルト緩挿孔で対応できると共に、球面座金が調整枠材に密着して係止するため、安定した位置決めが可能となる効果を発揮するのである。
【発明を実施するための最良の形態】
【００１３】
本発明の一実施の形態を、図面に基づいて説明する。
図1は、一本の支柱１に門扉２が支持された片持支持の門扉装置の正面図を示し、門扉２は、門扉本体５と調整枠材６より構成されている。
【００１４】
図面の一実施の形態では、支柱１は固定部材３と回転部材４の内外二重構成と成し、門扉が支柱を軸に回動して開閉する門扉装置としてある。
支柱を回転可能としたものは多数実用化されており、適宜公知の一般的な構成を採用すればよく、具体的構成は省略する。
【００１５】
図２は調整枠材６の要部を示し、調整枠材６は角柱状の長尺体で、支柱１の回転部材４の連結用ブラケット７，７にボルト・ナット８，８・・で支柱１と連結固定されて、支柱１と平行に垂設支持され、回転部材４の回転を利用して支柱１を軸として回動可能である。
【００１６】
また、調整枠材６の門扉本体５側の面には、上下の位置に透孔９，９が形成され、この透孔９，９に門型の連結用部材１０Ａ,１０Ｂが嵌着してある。
上部の連結用部材１０Ａの基端が突合した支柱側の面に縦長孔１３が形成してある。
一方、下部の連結用部材１０Ｂが調整枠材６より突出した両垂下片１１Ｂには、ビス用連結孔１４が穿設してあり、上片１２Ｂの先端は切欠１５としてある。
【００１７】
図３は門扉本体５の支柱側の要部を示し、支柱側の縦枠が欠如した形態としてある。
門扉本体５の下部横枠１６の先端部にはビス用連結孔１７が穿設してあり、上記の下部の連結用部材１０Ｂのビス用連結孔１４と重合して連係するものである。
また、門扉本体５の上部横枠１８の先端部に目隠し板１９が嵌着してあり、中央部に肉厚の螺合部材２０を有し、上記の連結用部材１０Ａに挿入した場合に、支柱側の面の縦長孔１３に対向するものとなる。
図面では肉厚の螺合部材２０を目隠し板１９に当着したナットで形成している。
【００１８】
図４は門扉本体５が調整枠材６に取り付けられ門扉のしなりを調節した状態を示す要部断面図である。
支柱１に連結固定された調整枠材６に対して、門扉本体５の上部横枠１８の端部及び下部横枠１６の端部を、それぞれ調整枠材６の連結用部材１０Ａ,１０Ｂに関係させる。
そして、上部の連結用部材１０Ａに関係する縦長孔１３の支柱側から挿通した調整ボルト２１を、上部横枠１８の螺合部材２０に螺入し、一方、門扉本体５の下部横枠１６の先端部のビス用連結孔１７と、下部の連結用部材１０Ｂのビス用連結孔１４とを重合して回動可能にビス２２で軸支し、門扉本体５を調整枠材６に連結支承するものである。
また、調整ボルト２１を縦長孔１３へ挿通するに際して、球面座金２３を介在させてある。
【００１９】
そこで、門扉本体５のしなりを調整する必要が生じた場合は、調整ボルト２１を左右に回して上部横枠１８の螺合部材２０との螺合の位置状態を変更することによって、上部横枠１８が横方向へ移動し、その移動に従って下部横枠１６のビス２２を回転軸として、門扉本体５が上下方向に回動して、しなりが生じない状態に是正できるのである。
【００２０】
しなりを是正するため門扉本体５は先端部がやや上方へ傾斜し、上部横枠１８の螺合部材２０と螺合する調整ボルト２１もやや下方傾斜するが、縦長孔１３で対応すると共に、球面座金２３が調整ボルト頭２４と調整枠材６の支柱側面との密着を確保している。
縦長孔１３を、調整ボルト２１の螺軸が緩挿する長径の丸孔としても、同一の作用効果を得られることはいうまでもない。
【００２１】
また、先端部に形成した切欠１５は、下部横枠１６がビス２２を回転軸として上方向に回動した時に、下部の連結用部材１０Ｂの上片１２Ｂと干渉するのを防いでいる。
更に、調整枠材６の門型の連結用部材１０Ａ,１０Ｂに、門扉本体の上・下横枠の端部を挿入する格好で連結することで、門型の連結用部材１０Ａ,１０Ｂの上片１２Ａ,１２Ｂが、門扉本体の上・下横枠が下方へ傾斜するのを規制する作用をしている。
【図面の簡単な説明】
【００２２】
【図１】本発明の一実施の形態を示す正面図である。
【図２】調整枠材の要部を示す図である。
【図３】門扉本体の支柱側の要部を示す図である。
【図４】門扉のしなりを調節した状態を示す要部断面図である。
【符号の説明】
【００２３】
１  支柱
２  門扉
３  固定部材
４  回転部材
５  門扉本体
６  調整枠材
７  連結用ブラケット
８  ボルト・ナット
９  透孔
１０Ａ、１０Ｂ  連結用部材
１１Ａ、１１Ｂ  垂下片
１２Ａ、１２Ｂ  上片
１３  縦長孔（ボルト緩挿孔）
１４、１７  ビス用連結孔
１５  切欠
１６  下部横枠
１８  上部横枠
１９  目隠し板
２０  螺合部材
２１  調整ボルト
２２  ビス（回転軸）
２３  球面座金
２４  調整ボルト頭
【図１】
2007197935.tif 000003
【図２】
2007197935.tif 000004
【図３】
2007197935.tif 000005
【図４】
2007197935.tif 000006